(57)【要約】【課題】ユーザが光ディスクを挿入し易い位置に挿入口がくるようディジタル基板と光ディスク装置を配置し、ユーザの使い勝手を向上させた液晶表示装置を提供する。【解決手段】液晶テレビジョン１０１において、ディジタル基板Aは背面板６を正面視して左側に位置することになる。そのため、光ディスク装置２００は、挿入口２０１が背面板６を正面視して背面板６の左端部にくる位置に、ディジタル基板Aに載置される。即ち、挿入口２０１が、ユーザUから見て液晶テレビジョン１０１の右端部に位置することになる。よって、右利きのユーザUは液晶テレビジョン１０１の右側から光ディスク１００を挿入すれば良いため、光ディスク１００を挿入口２０１に挿入し易い。【選択図】  図２
2010283574.tif 000002
【特許請求の範囲】
【請求項１】
挿入口から挿入された光ディスクに記録されている映像データを読み取る光ディスク装置を備えた液晶表示装置において、
前記光ディスク装置で読み取られた映像データに基づいて１画面分の画像データを生成し、その画像データに基づいて駆動信号を生成するディジタル基板と、
前記ディジタル基板とケーブルで接続され、前記ディジタル基板から前記ケーブルを介してシリアルに入力された前記駆動信号に基づいて液晶パネルの各画素を駆動し、前記画像データに基づく画像を前記液晶パネルに表示させるドライバ基板と、
を前記液晶パネルの背面側を保護する背面板に備え、
前記ディジタル基板は、前記背面板を正面視して前記背面板の左側に配置され、
前記光ディスク装置は、前記挿入口が前記背面板を正面視して前記背面板の左端部にくる位置に、前記ディジタル基板に載置されたことを特徴とする液晶表示装置。
【請求項２】
前記光ディスク装置は、前記挿入口の開口面が前記背面板を正面視して前記液晶パネルの左端と平行となる位置に、前記ディジタル基板に載置されたことを特徴とする請求項１に記載の液晶表示装置。
【請求項３】
前記ディジタル基板は、前記光ディスクの挿入方向又は前記挿入口の場所をOSDで示す画像データを生成するOSD回路を有することを特徴とする請求項１又は２に記載の液晶表示装置。
【請求項４】
前記ディジタル基板は、mini-LVDS方式で前記駆動信号を前記ドライバ基板に出力することを特徴とする請求項１から３のいずれかに記載の液晶表示装置。
【発明の詳細な説明】
【技術分野】
【０００１】
本発明は、光ディスク装置を搭載した液晶表示装置に関するものである。
【背景技術】
【０００２】
従来から、DVD等の光ディスクを再生する光ディスク装置を搭載し、１つのセットでDVD再生とテレビジョン放送との両方を視聴できる液晶表示装置が実用化され、一般に普及している。
【０００３】
従来の液晶表示装置において、液晶パネルの背面側を保護する背面板（シャーシ）にはディジタル基板とドライバ基板とが取り付けられている。ディジタル基板は、光ディスク装置で読み取られた映像データに基づいて１画面分の画像データを生成し、その画像データに基づいて駆動信号を生成する基板である。ドライバ基板は、ディジタル基板から入力された駆動信号に基づいて液晶パネルの各画素を駆動し、画像データに基づく画像を液晶パネルに表示させる基板である。ドライバ基板は、液晶パネルの複数のソースラインを駆動する複数のソースドライバICをマウントする必要があるため、背面板を正面視して上側に配置されている（後述の図２における基板R参照）。
【０００４】
従来の液晶表示装置において、ディジタル基板からドライバ基板への上記駆動信号の伝送方式には、RSDS(reduced swing differential signaling)方式が一般的に採用されている。RSDS方式は、出力クロックの周波数が85MHz程度の伝送方式である。このRSDS方式について詳述すると、上記駆動信号は、ディジタル基板からドライバ基板へ２本の伝送ラインで（即ちパラレルに）伝送される。そして、２本の伝送ラインを介してドライバ基板へ伝送された２つの駆動信号は、背面板を正面視して左側にある左側ソースドライバIC群と右側にある右側ソースドライバIC群とに、左右対象にしてそれぞれ入力される。
【０００５】
ここで、２本の伝送ラインは、両駆動信号の同期を取るため、長さを等しくする必要がある。そのため、従来の液晶表示装置におけるディジタル基板は、背面板を正面視して中央に配置させるとともに、上側に配置されるドライバ基板の中心とケーブルで接続する必要があった。
なお、特許文献１では、映像表示装置が提案されている。
【先行技術文献】
【特許文献】
【０００６】
【特許文献１】特開２００８−２３６１６７公報
【発明の概要】
【発明が解決しようとする課題】
【０００７】
しかしながら、従来の液晶表示装置において、上記ディジタル基板に光ディスク装置を載置させた場合、光ディスク装置も背面板を正面視して中央に位置することになる。そのため、光ディスクを挿入するための光ディスク装置の挿入口も、背面板を正面視して中央に位置することになる。即ち、挿入口は、ユーザから見て液晶表示装置の真後ろに位置することになる。
よって、従来の液晶表示装置において光ディスク装置を搭載する場合、基板配置の制約上、ユーザが光ディスクを挿入口に挿入し難いという問題があった。従って、従来の液晶表示装置ではユーザの使い勝手が悪かった。
【０００８】
なお、光ディスク装置をディジタル基板に載置させない自由な基板配置も考えられるが、この場合は光ディスク装置とディジタル基板とを接続する専用ケーブルが新たに必要となり、液晶表示装置の製造コストが高くなるという別の問題が発生してしまう。
【０００９】
本発明はこのような従来の課題を解決しようとするものであり、ユーザが光ディスクを挿入し易い位置に挿入口がくるようディジタル基板と光ディスク装置を配置し、ユーザの使い勝手を向上させた液晶表示装置を提供することを目的とする。
【課題を解決するための手段】
【００１０】
本発明の液晶表示装置は、前記課題を解決するために以下の構成を備えている。
【００１１】
（１）挿入口から挿入された光ディスクに記録されている映像データを読み取る光ディスク装置を備えた液晶表示装置において、
前記光ディスク装置で読み取られた映像データに基づいて１画面分の画像データを生成し、その画像データに基づいて駆動信号を生成するディジタル基板と、
前記ディジタル基板とケーブルで接続され、前記ディジタル基板から前記ケーブルを介してシリアルに入力された前記駆動信号に基づいて液晶パネルの各画素を駆動し、前記画像データに基づく画像を前記液晶パネルに表示させるドライバ基板と、
を前記液晶パネルの背面側を保護する背面板に備え、
前記ディジタル基板は、前記背面板を正面視して前記背面板の左側に配置され、
前記光ディスク装置は、前記挿入口が前記背面板を正面視して前記背面板の左端部にくる位置に、前記ディジタル基板に載置されたことを特徴とする。
【００１２】
この構成において、ディジタル基板は背面板（シャーシ）を正面視して左側に位置することになる。そのため、光ディスク装置は、挿入口が背面板を正面視して背面板の左端部にくる位置に、ディジタル基板に載置される。即ち、挿入口が、ユーザから見て液晶表示装置の右端部に位置することになる。
よって、右利きのユーザは液晶表示装置の右側から光ディスクを挿入すれば良いため、光ディスクを挿入口に挿入し易い。従って、液晶表示装置ではユーザの使い勝手を向上できる。
【００１３】
（２）前記光ディスク装置は、前記挿入口の開口面が前記背面板を正面視して前記液晶パネルの左端と平行となる位置に、前記ディジタル基板に載置されたことを特徴とする。
【００１４】
この構成では、光ディスク装置が、挿入口の開口面が背面板を正面視して液晶パネルの左端と平行となる位置に、ディジタル基板に載置される。そのため、ユーザは、液晶表示装置の右側から光ディスクを平行に挿入すれば良いため、光ディスクを挿入口に挿入し易い。従って、ユーザの使い勝手を一層向上できる。
【００１５】
（３）前記ディジタル基板は、前記光ディスクの挿入方向又は前記挿入口の場所をOSDで示す画像データを生成するOSD回路を有することを特徴とする。
【００１６】
この構成では、光ディスクの挿入方向と挿入口の場所との内の少なくとも一方がOSDで表示される。そのため、ユーザは、そのOSD表示を見ながら、該挿入口の場所を目標にして、液晶表示装置の右側から光ディスクを挿入できる。又は、ユーザは、そのOSD表示を見ながら、液晶表示装置の右側から光ディスクを該挿入方向に沿って平行に挿入できる。このため、ユーザは光ディスクを挿入口に挿入し易い。従って、ユーザの使い勝手を一層向上できる。
【００１７】
（４）前記ディジタル基板は、mini-LVDS方式で前記駆動信号を前記ドライバ基板に出力することを特徴とする。
【発明の効果】
【００１８】
この発明によれば、ユーザの使い勝手を向上できる。
【図面の簡単な説明】
【００１９】
【図１】本発明の実施形態である液晶テレビジョンの主要な構成を示すブロック図
【図２】ＬＣＤの背面における基板配置と液晶テレビジョンの正面とを示す図
【図３】タイミングコントローラからゲートドライバＩＣ群又はソースドライバＩＣ群に入力する主要な信号の波形を示す図
【発明を実施するための形態】
【００２０】
以下、本発明の実施形態である液晶テレビジョンについて説明する。
【００２１】
図１は、本発明の実施形態である液晶テレビジョンの主要な構成を示すブロック図である。液晶テレビジョン１０１は、操作部２と、チューナ１０と、映像信号処理回路１２と、液晶ディスプレイ（ＬＣＤ）２６と、音声処理回路１６と、スピーカ１８と、電源回路２０と、整流回路２２と、インバータ回路２４と、を備える。液晶テレビジョン１０１は、光ディスク１００を再生するスロットインモデルの光ディスク装置２００を搭載し（後述の図２参照）、１つのセットで光ディスク再生とテレビジョン放送との両方を視聴できる装置である。スロットインモデルの光ディスク装置２００とは、挿入口２０１に挿入された光ディスク１００を掴み、ターンテーブルにセットするセット位置まで光ディスク１００を搬送するタイプの光ディスク装置である。光ディスク１００は、例えばDVDやブルーレイディスクである。この実施形態では、テレビ番組などの映像音声データが光ディスク１００に予め記録されているものとする。
なお、この実施形態では、光ディスク装置２００を再生専用の装置としているが、実施の際は、光ディスク１００に対して映像音声データの記録を行える機能を光ディスク装置２００に持たせても構わない。この場合、光ディスク装置２００は、ディジタル基板Ａから映像音声データを入力する。
【００２２】
操作部２は、ユーザによる操作入力を受け付ける複数のキーを有する。複数のキーには、チャンネルの選択を受け付けるチャンネルキーが含まれる。ユーザは、光ディスク再生に割り当てられた外部入力チャンネルとテレビジョン放送に割り当てられたTVチャンネルとの内、視聴したいチャンネルをチャンネルキーで選択する。
【００２３】
チューナ１０は、アンテナ１０ａを介して受信されるテレビ放送信号から、選択されているTVチャンネルのテレビ放送信号（映像音声信号）を抽出し、映像信号処理回路１２に出力する。受信するテレビ放送信号としてはアナログ放送であってディジタル放送であっても構わない。アナログのテレビ放送信号を受信すると、後述する映像信号処理回路１２にてＡ／Ｄ変換されてディジタル化される。
【００２４】
映像信号処理回路１２は、ディジタルで処理を行う１チップＩＣである。映像信号処理回路１２は、Ａ／Ｄ変換部と、ビデオデコーダ（Ｖ／Ｄ）と、スケーラと、OSD回路３と、タイミングコントローラ（Ｔcont）４とを備える。また、映像信号処理回路１２は、後述の光ディスク装置２００が接続され、ディジタルの映像音声信号が入出力可能なコネクタ端子を有する。
【００２５】
Ｖ／Ｄは、チューナ１０（TVチャンネルが選択された場合）または上記コネクタ端子（外部チャンネルが選択された場合）から入力されるディジタルの映像音声信号から映像信号と音声信号の分離を行い、分離された音声信号を音声処理回路１６に出力するとともに、分離された映像信号からＲ，Ｇ，Ｂの３原色信号を復調する。また、Ｖ／Ｄは、ＲＧＢの映像信号に、色の濃さ調整、コントラスト調整、ＴＩＮＴ調整、ブライト調整、肌色補正等の色彩調整、白黒伸長調整、遅延調整、ガンマ補正、シャープネス調整、ノイズ除去、等の画質調整処理を行い、スケーラに出力する。スケーラは、連続するインターレース形式の映像信号をプログレッシブ形式の映像信号に変換し、入力されたディジタル映像信号を、液晶パネル５が有する画面の画素数（横縦比、ｍ：ｎ）に合致するようにスケーリング処理を行い、液晶パネル５に表示する１画面分の画像データを生成して、生成した画像データをＴcont４に出力する。
【００２６】
OSD回路３は、光ディスク１００の挿入方向および挿入口２０１の場所をOSD（オンスクリーンディスプレイ）で示す画像データを記憶する画像メモリ（不図示）を内蔵する。OSD回路３は、操作部２で外部入力チャンネルが選択された時、光ディスク１００の挿入方向および挿入口２０１の場所をOSDで示す画像データを画像メモリから読み取って生成し、生成した画像データをＴcont４に出力する。
【００２７】
Ｔcont４は、入力された画像データに基づいて,mini-LVDS（Low Voltage Differential Signaling）方式のパネル駆動信号（制御信号）を生成する。そして、Ｔcont４は、そのパネル駆動信号をmini-LVDS方式でドライバ回路１４に出力する。ここで、mini-LVDS方式とは、液晶ディスプレイパネルに於ける画像データ転送方式の一つであり、従来はパラレルに送られていたデータをシリアルで送り、配線数を削減させる方式である。同時に低電圧振幅（±200ｍV）により高周波の放射を抑えてEMI低減を図っている。mini-LVDS方式は、出力クロックの周波数が80MHz〜340MHzであり、160Mbps〜680Mbpsという非常に高速な出力データ転送レートを実現している。
【００２８】
ドライバ回路１４は、ＬＣＤ２６を構成する液晶パネル５のソースラインを駆動する複数のソースドライバＩＣと、同液晶パネル５のゲートラインを駆動する複数のゲートドライバＩＣとで構成される。ドライバ回路１４は、画素の配列により構成された液晶パネル５の各画素をパネル駆動信号に基づいて駆動し、同液晶パネル５の画面に画像データに基づく映像を表示させる。
【００２９】
音声処理回路１６は、ディジタル音声信号が入力されると、ディジタル音声信号をアナログ音声信号にＤ／Ａ変換する。さらに、音声処理回路１６は、同アナログ音声信号を内蔵のアンプにおいて増幅した後、スピーカ１８に出力して音声出力させる。
【００３０】
整流回路２２は、商用電源からＡＣケーブル２２ａを介してＡＣ電源電圧を入力して、このＡＣ電源電圧をＤＣ電源電圧に変換してインバータ回路２４および電源回路２０に供給する。電源回路２０は、整流回路２２から供給されたＤＣ電源電圧に基づいて各種電圧を生成し、インバータ回路２４を除く各回路へ供給する。
【００３１】
インバータ回路２４は、整流回路２２から供給されたＤＣ電源電圧を高周波の交流電圧に変換し、不図示のインバータハーネスを介して駆動信号としての交流電圧をＬＣＤ２６のバックライトに供給し、バックライトを点灯させる。
【００３２】
図２（A）は、ＬＣＤの背面における基板配置図であり、図２（B）は、液晶テレビジョンの正面図である。ここで、ＬＣＤ２６は、ＬＣＤモジュールであり、液晶パネル５と光源となるバックライトと該光を反射する反射板と該反射板を覆う背面板（シャーシ）６とを含む。
【００３３】
図２（A）に示すＬＣＤ２６の背面（即ち背面板６）は、液晶テレビジョン１０１のケーシングの一部を構成する背面キャビネットで覆われている。その背面キャビネットを外したＬＣＤ２６の背面（即ち背面板６）には、ディジタル基板Ａと、電源基板Ｂと、インバータ基板Ｃと、中継基板Ｒとが配置されている。以下、各基板の位置関係と、各基板に搭載される回路について図２（A）を用いて説明する。
【００３４】
電源基板Ｂは、整流回路２２と電源回路２０とを搭載し、ＬＣＤ２６背面の中央に配置されている。電源基板Ｂは、商用のＡＣ電源電圧をＤＣ電源電圧に変換し、そのＤＣ電源電圧に基づいて各種電源電圧を生成し、ディジタル基板Ａとインバータ基板Ｃ等の各回路に電源電圧を各ケーブルを介して供給する。ここで、ディジタル基板Ａは、電源基板Ｂとケーブル３２を介して接続されている。また、中継基板Ｒは、ディジタル基板Ａとケーブル４２を介して接続されている。また、インバータ基板Ｃは、電源基板Ｂとケーブル３１を介して接続されている。電源基板Ｂで生成された電源電圧は、ケーブル３２とディジタル基板Ａとケーブル４２とを経由して中継基板Ｒに入力する。そして、この電源電圧は、中継基板ＲからＣＯＦ（チップオンフィルム）群Ｘに、ＣＯＦ群Ｘの内の右端のＣＯＦから液晶セルに形成された配線を介してＣＯＦ群Ｙに、それぞれ供給される。
【００３５】
インバータ基板Ｃは、インバータ回路２４を搭載し、ＬＣＤ２６背面の右方に上下に長く配向して配置されている。
【００３６】
ディジタル基板Ａは、ＬＣＤ２６背面において左上側に配置されている。ディジタル基板Ａには、光ディスク１００に対して映像音声データの読取を行う光ディスク装置２００とチューナ１０とが搭載されており、映像信号処理回路１２が形成されている。
【００３７】
ディジタル基板Ａは、アンテナ１０ａを介して受信されるテレビ放送信号から、選択されているチャンネルのテレビ放送信号（映像音声信号）をチューナ１０で抽出する。さらに、ディジタル基板Ａは、チューナ１０又は光ディスク装置２００から入力される映像音声信号から映像信号と音声信号の分離を映像信号処理回路１２で行う。ディジタル基板Ａは、分離されたディジタルの音声信号をアナログの音声信号にＤ／Ａ変換し、スピーカ１８から音声出力させる。また、ディジタル基板Ａは、分離された映像信号に基づいて液晶パネル５の１画面分の画像データを生成し、その画像データに基づいて上記mini-LVDS方式のパネル駆動信号を生成する。ディジタル基板Ａは、生成したパネル駆動信号をケーブル４２を介して中継基板Ｒにmini-LVDS方式で出力する。ここで、表示データDATAは、ディジタル基板Ａから中継基板Ｒへ１本の伝送ライン１４２で（即ちシリアルに）転送される。そして、１本の伝送ライン１４２を介して中継基板Ｒに転送された表示データDATAは、各ＣＯＦＸのソースドライバＩＣに左側のCOFXから順に入力される。
【００３８】
中継基板Ｒは、ＬＣＤ２６の背面上端部に配置されている。中継基板Ｒは、液晶パネル５の縦方向に形成された複数本のソースラインを駆動する複数のソースドライバＩＣを搭載したＣＯＦ群Ｘと接続している。ＣＯＦ群Ｘの内の左端のＣＯＦは、液晶パネル５の横方向に形成された複数本のゲートラインを駆動する複数のゲートドライバＩＣを搭載したＣＯＦ群Ｙと接続している。即ち、ＣＯＦ群Ｘ及びＣＯＦ群Ｙは、ドライバ回路１４を搭載している。ＣＯＦ群Ｘ及びＣＯＦ群Ｙは、画素の配列により構成された液晶パネル５の各画素をパネル駆動信号に基づいて駆動し、液晶パネル５の画面に画像データに基づく映像を表示させる（例えば図２（B）の「NO  DISK」参照）。
【００３９】
図３は、Ｔcont４からゲートドライバＩＣ群又は各ソースドライバＩＣ群に入力する主要な信号の波形を示す図である。同図においては、１選択期間を拡大して、ＣＬＫ及びＤＡＴＡを示している。１フレームは、通常６０〜７０Ｈｚである。
【００４０】
Ｔcont４からゲートドライバＩＣ群に供給される制御信号は、ゲート用のクロック信号ＣＰＶ（clock pulse vertical）、及びスタートパルス信号ＳＴＶ（start pulse vertical）を含む。ゲート用のクロック信号ＣＰＶは、信号の立ち上がりに同期して駆動するゲートラインを１ラインずつシフトさせるための同期信号であり、ゲートがオンになる横方向１ライン分のＴＦＴを信号の立ち上がりに同期して１ラインずつ縦方向にシフトさせることに相当する。各ゲートドライバＩＣは、クロック信号ＣＰＶのレベルがＬｏｗレベルからＨｉレベルに変化した時、１ライン分のＴＦＴをオン状態にする。スタートパルス信号ＳＴＶは、先頭のゲートラインをオンさせるタイミングを指定する同期信号であり、１フレームの開始タイミングを示す。
【００４１】
一方、Ｔcont４からソースドライバＩＣ群に供給される制御信号は、ドットクロック信号ＣＬＫ、及びラッチパルスＬＰを含む。ドットクロック信号ＣＬＫは、表示データＤＡＴＡを液晶パネル５に出力するための同期信号である。各ソースドライバＩＣは、表示データＤＡＴＡを、ドットクロック信号ＣＬＫに同期して液晶パネル５に出力する。ラッチパルスＬＰは、各ラインの表示データＤＡＴＡを液晶パネル５に出力するタイミングを示す信号である。各ソースドライバＩＣは、ラッチパルスＬＰの立ち上がりに同期して、オンされたＴＦＴを介して各画素に１ライン分の画像データＤＡＴＡを書き込む。
【００４２】
なお、液晶パネル５の画面上にデータ表示する際には、ゲートドライバＩＣ群によりゲートラインを１ラインずつ順次駆動して１ライン分のＴＦＴを導通状態にし、導通されたＴＦＴを介して、ソースドライバＩＣから各画素に横１ライン分のデータを一斉に書き込む。
【００４３】
以上の液晶テレビジョン１０１において、上記ディジタル基板Aは背面板６を正面視して左側に位置することになる（図２（A）参照）。そのため、光ディスク装置２００は、挿入口２０１が背面板６を正面視して背面板６の左端部にくる位置に、ディジタル基板Aに載置される。即ち、挿入口２０１が、ユーザUから見て液晶テレビジョン１０１の右端部に位置することになる。
よって、右利きのユーザUは図２（B）に示すように液晶テレビジョン１０１の右側から光ディスク１００を挿入すれば良いため、光ディスク１００を挿入口２０１に挿入し易い。従って、液晶テレビジョン１０１ではユーザUの使い勝手を向上できる。
【００４４】
また、液晶テレビジョン１０１では、光ディスク装置２００が、挿入口２０１の開口面が背面板６を正面視して液晶パネル５の左端と平行となる位置に、ディジタル基板Aに載置されている（図２（B）参照）。そのため、ユーザUは、液晶テレビジョン１０１の右側から光ディスク１００を平行に挿入すれば良いため、光ディスク１００を挿入口２０１に挿入し易い。従って、ユーザUの使い勝手を一層向上できる。
【００４５】
また、液晶テレビジョン１０１では、光ディスク１００の挿入方向と挿入口２０１の場所をOSDで表示している（図２（B）参照）。そのため、ユーザUは、そのOSD表示を見ながら、該挿入口２０１の場所を目標にして、液晶テレビジョン１０１の右側から光ディスク１００を該挿入方向に沿って平行に挿入できる。このため、ユーザUは光ディスク１００を挿入口２０１に挿入し易い。従って、ユーザUの使い勝手を一層向上できる。
なお、この実施形態では、光ディスク１００の挿入方向と挿入口２０１の両方をOSDで表示しているが、実施の際は、いずれか一方の表示でも構わない。
【符号の説明】
【００４６】
２…操作部
３…OSD回路
５…液晶パネル
６…背面板
１０…チューナ
１０ａ…アンテナ
１２…映像信号処理回路
１４…ドライバ回路
１６…音声処理回路
１８…スピーカ
２０…電源回路
２２…整流回路
２２ａ…ＡＣケーブル
２４…インバータ回路
２６…ＬＣＤ
３１…ケーブル
３２…ケーブル
４２…ケーブル
１００…光ディスク
１０１…液晶テレビジョン
１４２…伝送ライン
２００…光ディスク装置
２０１…挿入口
Ａ…ディジタル基板
Ｂ…電源基板
Ｃ…インバータ基板
Ｒ…中継基板
U…ユーザ
Ｘ…ＣＯＦ群
Ｙ…ＣＯＦ群
【図１】
2010283574.tif 000003
【図２】
2010283574.tif 000004
【図３】
2010283574.tif 000005